(57)【要約】【課題】ドライブ装置へのシート体の挿入を回避し得る情報記録媒体を提供する。【解決手段】磁気テープＴが巻回されたテープリール１２を回転可能に収納するテープカートリッジ２と、テープカートリッジ２を収納する収納ケース３と、テープカートリッジ２と共に収納ケース３に収納されるシート体４とを備え、シート体４は、貼付面１７ａに突起部２１が設けられると共に、突起部２１がテープカートリッジ２の下面に対向する状態で収納ケース３に収納されている。【選択図】図１
2006338794.tif 000002
【特許請求の範囲】
【請求項１】
テープ状記録媒体が巻回されたテープリールを回転可能に収納するテープカートリッジと、当該テープカートリッジを収納する収納ケースと、前記テープカートリッジと共に前記収納ケースに収納されるシート体とを備え、
前記シート体は、一面および他面の少なくとも一方に突起部が設けられると共に、前記突起部が前記テープカートリッジの下面に対向する状態で前記収納ケースに収納されている情報記録媒体。
【請求項２】
前記突起部は前記シート体の前記一面に筋状に形成され、
前記シート体の前記他面における前記突起部の裏側には、前記突起部に沿って筋状の凹部が形成されている請求項１記載の情報記録媒体。
【請求項３】
前記突起部は点状に形成されている請求項１記載の情報記録媒体。
【発明の詳細な説明】
【技術分野】
【０００１】
本発明は、テープ状記録媒体が巻回されたテープリールを回転可能に収納するテープカートリッジと、テープカートリッジを収納する収納ケースと、テープカートリッジと共に収納ケースに収納されるシート体とを備えた情報記録媒体に関するものである。
【背景技術】
【０００２】
この種の情報記録媒体として、特開平９−１６１４４６号公報に開示された情報記録媒体が知られている。この情報記録媒体は、例えば電子計算機の主記録媒体に記録された記録データのバックアップメディアとして使用される１リールタイプのカートリッジ式記録媒体（以下、「テープカートリッジ」ともいう）と、このテープカートリッジを収納する収納ケースとを備えている。この場合、テープカートリッジは平面視形状がほぼ四角形の扁平な直方体に形成されている。収納ケースは、透明な樹脂材料で形成された収納ケース本体、蓋体および連結部を備え、収納ケース本体と蓋体とが連結部にそれぞれ折り曲げ可能に連結されて構成されている。また、収納ケースは、テープカートリッジをできる限りがたつかない状態で収納するように、収納ケース本体および蓋体の平面視形状がテープカートリッジよりも若干大きい四角形にそれぞれ形成されている。
【０００３】
さらに、この情報記録媒体では、商品名、使用説明および製造元などが印刷された紙製シートやテープカートリッジに貼り付けて使用する剥離紙製のラベルシートなどのシート体が、テープカートリッジと共に収納ケースに収納されている。また、一般的な収納ケースでは、上記公報に開示されている収納ケースとは異なり、その収納ケース本体にはカートリッジケースの裏面中央に露出するテープリールの駆動用係合歯部と噛合する環状歯部は形成されていない。このため、この構成の収納ケースを備えた情報記録媒体では、カートリッジケースの上面側および裏面側のいずれか一方または双方にシート体が配設されている。
【特許文献１】特開平９−１６１４４６号公報（第３頁、第１図）
【発明の開示】
【発明が解決しようとする課題】
【０００４】
ところが、上記の情報記録媒体には、以下の問題点がある。すなわち、この情報記録媒体では、搬送中に振動が加わることに起因して、収納ケース内においてテープカートリッジとシート体とが擦れて静電気が発生し、この発生した静電気によってテープカートリッジにシート体が付着することがある。このため、この情報記録媒体には、テープカートリッジの裏面にシート体が付着している場合、その付着を確認し難いために、収納ケースからテープカートリッジを取り出した際に、ユーザーがシート体の存在に気付かずに、テープカートリッジと共にシート体をドライブ装置に挿入してしまうという事態が発生するおそれがある。したがって、このような事態が生じたときにはシート体の挿入に起因してドライブ装置が正常に作動しないこともあるため、これを改善するのが好ましい。
【０００５】
本発明は、かかる問題点に鑑みてなされたものであり、ドライブ装置へのシート体の挿入を回避し得る情報記録媒体を提供することを主目的とする。
【課題を解決するための手段】
【０００６】
上記目的を達成すべく本発明に係る情報記録媒体は、テープ状記録媒体が巻回されたテープリールを回転可能に収納するテープカートリッジと、当該テープカートリッジを収納する収納ケースと、前記テープカートリッジと共に前記収納ケースに収納されるシート体とを備え、前記シート体は、一面および他面の少なくとも一方に突起部が設けられると共に、前記突起部が前記テープカートリッジの下面に対向する状態で前記収納ケースに収納されている。
【０００７】
この場合、前記シート体の前記一面に筋状の前記突起部を形成し、前記シート体の前記他面における前記突起部の裏側に前記突起部に沿って筋状の凹部を形成することができる。
【０００８】
また、前記突起部を点状に形成することができる。
【発明の効果】
【０００９】
本発明に係る情報記録媒体によれば、一面および他面の少なくとも一方に突起部を設けると共に、突起部がテープカートリッジの下面に対向する状態でシート体を収納ケースに収納することにより、突起部によってシート体とテープカートリッジとを線的に接触させて接触面積を少なくすることができる。このため、テープカートリッジを収納ケースから取り出す際にシート体をその自重によってテープカートリッジから離反させることができる結果、シート体を収納ケース内に残しておくことができる。したがって、ドライブ装置へのシート体の挿入を確実に防止することができる。
【００１０】
また、本発明に係る情報記録媒体によれば、シート体の一面に突起部を筋状に形成すると共に、シート体の他面における突起部の裏側に突起部に沿って筋状の凹部を形成したことにより、シート体がテープカートリッジに付着した状態で収納ケースから取り出されたときにも、ドライブ装置へのシート体の挿入を確実に防止することができる。
【００１１】
また、本発明に係る情報記録媒体によれば、点状の突起部を形成することにより、上記の筋状の突起部を形成した構成と同様にして、ドライブ装置へのシート体の挿入を確実に防止することができる。
【発明を実施するための最良の形態】
【００１２】
以下、本発明に係る情報記録媒体の最良の形態について、添付図面を参照して説明する。
【００１３】
最初に、情報記録媒体１の構成について、図面を参照して説明する。
【００１４】
図１に示す情報記録媒体１は、例えば、電子計算機に記録された記録データをバックアップするためのストレージデバイスとして使用される１リールタイプのカートリッジ式の情報記録媒体であって、同図に示すように、テープカートリッジ２、収納ケース３およびシート体４を備えて構成されている。
【００１５】
テープカートリッジ２は、図１に示すように、カートリッジケース本体１１およびテープリール１２を備えるほか、図示しないブレーキ解除板、ロック部材、ブレーキスプリングおよびドア部材などを備えて構成されている。この場合、カートリッジケース本体１１は、それぞれ浅皿状に形成されて互いに嵌合される下ケース１３および上ケース１４で構成されると共に、下ケース１３および上ケース１４間に形成される内部空間に磁気テープＴ（本発明におけるテープ状記録媒体）が巻回されたテープリール１２を回転可能に収納する。また、カートリッジケース本体１１の内部空間には、ブレーキ解除板、ロック部材およびブレーキスプリングなどが配設されている。また、カートリッジケース本体１１の側壁には、磁気テープＴをカートリッジケース本体１１の外部に引き出すためのテープ引き出し口（図示せず）が形成され、ドア部材はこのテープ引き出し口を開閉し得るようにカートリッジケース本体１１に配設されている。また、上ケース１４の上面には、ドライブ装置１００へのテープカートリッジ２の挿入方向Ａ（いずれも図３参照）を示すマーク（三角マーク）１４ａが形成されている。
【００１６】
収納ケース３は、図１に示すように、一例として透明な樹脂材料で一体的に形成された収納ケース本体１５および蓋体１６を備えて構成されている。収納ケース本体１５は、その平面視形状がテープカートリッジ２の平面視形状よりも若干大きな四角形に形成された底壁（収納ケース３の底壁を構成する）１５ａ、底壁１５ａの４辺にそれぞれ立設された前壁１５ｂ、側壁１５ｃ，１５ｄ、および後壁１５ｅを備えている。この場合、前壁１５ｂおよび側壁１５ｃ，１５ｄは、底壁１５ａの各辺から若干内側に位置する部位にそれぞれ立設されている。蓋体１６は、収納ケース本体１５の各壁１５ｂ，１５ｃ，１５ｄ，１５ｅのうちの最も高い後壁１５ｅの上端縁にヒンジ結合された上壁（収納ケース３の上壁を構成する）１６ａ、上壁１６ａの３辺にそれぞれ立設された前壁１６ｂ（収納ケース３の前壁を構成する）、および側壁１６ｃ，１６ｄ（収納ケース３の側壁をそれぞれ構成する）を備えている。この場合、上壁１６ａは、底壁１５ａとほぼ同じ大きさでかつ同じ形状となるように形成されている。また、上壁１６ａおよび後壁１５ｅは、一例として、上壁１６ａと後壁１５ｅとの連結部位が薄肉化されてヒンジ結合されている。前壁１６ｂ、および側壁１６ｃ，１６ｄは、後壁１５ｅとほぼ同じ高さに形成されると共に、前壁１６ｂは各側壁１６ｃ，１６ｄに連結されている。以上の構成により、蓋体１６を収納ケース本体１５上に被せたときには、蓋体１６の前壁１６ｂおよび側壁１６ｃ，１６ｄが収納ケース本体１５の前壁１５ｂおよび側壁１５ｃ，１５ｄの外側にそれぞれ位置し、かつ前壁１６ｂおよび側壁１６ｃ，１６ｄの上端縁が収納ケース本体１５の底壁１５ａの表面に接触する。これにより、収納ケース本体１５の底壁１５ａおよび後壁１５ｅと、蓋体１６の上壁１６ａおよび各側壁１６ｃ，１６ｄとにより、テープカートリッジ２およびシート体４用の収納空間が収納ケース３に形成される。
【００１７】
シート体４は、図１に示すように、シート本体１７と、４枚のラベルシート１８とを備えて構成されている。シート本体１７は、収納ケース３の底壁１５ａよりもやや小さい四角形となるように剥離紙を用いて形成されている。また、シート本体１７の貼付面１７ａには、シート本体１７の１つの辺（同図における右上側の辺）４ａに平行な３本の筋状の突起部２１，２１，２１が形成されている。突起部２１，２１，２１は、１つの辺４ａの両端から垂直方向に延在する２辺（同図における左上側の辺および右下側の辺）の一方から他方に亘って形成されている。また、シート本体１７の裏面１７ｂにおける各突起部２１，２１，２１の裏側には、筋状の凹部２２，２２，２２が各突起部２１，２１，２１に沿ってそれぞれ形成されている。この場合、突起部２１および凹部２２は、押し当て用の部材をシート本体１７の裏面１７ｂ側から押し当てる筋押し加工によって断面円弧状（図２参照）に形成されている。ラベルシート１８は、図１に示すように、長方形に形成されると共に、裏面に粘着剤が塗布されて、テープカートリッジ２の上面（天面）や側面に貼り付け可能に構成されている。また、ラベルシート１８は、突起部２１によって区切られたシート本体１７の貼付面１７ａにおける４つの領域にそれぞれ貼り付けられている。
【００１８】
次に、情報記録媒体１の使用方法について図面を参照して説明する。
【００１９】
この情報記録媒体１が開封されていない状態では、テープカートリッジ２は、上ケース１４に形成されたマーク１４ａに最も近い側面２ａが収納ケース３における収納ケース本体１５の後壁１５ｅに対向するようにして（図１参照）収納ケース３に収納されている。また、シート体４は、その１つの辺４ａとテープカートリッジ２におけるマーク１４ａ側の側面２ａとが平行で、かつ貼付面１７ａに形成された突起部２１がテープカートリッジ２の下面に対向する状態で収納ケース３に収納されている。この状態の情報記録媒体１のテープカートリッジ２をドライブ装置１００に挿入するときには、まず、収納ケース３の蓋体１６を開けてテープカートリッジ２を取り出す。この際に、テープカートリッジ２に対向する貼付面１７ａに形成されている突起部２１によってテープカートリッジ２とシート体４とが線的に接触する状態となっている。これにより、テープカートリッジ２の下面とシート本体１７の貼付面１７ａとの接触面積が減少する。この場合、収納ケース３内でテープカートリッジ２とシート体４とが擦れることによって静電気が発生したとしても、シート体４がテープカートリッジ２の下面に付着し難くなっている。このため、テープカートリッジ２を取り出したときに、シート体４がその自重によってテープカートリッジ２から離反して収納ケース３内に残った状態となる。したがって、テープカートリッジ２のみをドライブ装置１００の挿入口１０２に挿入することができる。この結果、ドライブ装置１００へのシート体４の挿入を防止することができる。
【００２０】
一方、収納ケース３内で発生した静電気によってシート体４がテープカートリッジ２に付着しようとする力が、シート体４の自重によってシート体４がテープカートリッジ２から離反しようとする力を超えることもある。この際には、収納ケース３からテープカートリッジ２を取り出したときに、図３に示すように、取り出されたテープカートリッジ２の下面にシート体４が付着した状態となる。この場合、シート体４の突起部２１の裏側に凹部２２が形成されているため、シート体４における外側に形成された凹部２２の形成部位でシート体４がその自重によって折れ曲がり、その折れ曲がった部位を支点として、その外側の辺４ａまでが下方に垂れ下がる。このため、シート体４が付着した状態のテープカートリッジ２をドライブ装置１００の挿入口１０２に挿入しようとしたとしても、図４に示すように、シート体４の垂れ下がった部位の外側の辺４ａがフロントパネル１０１に当接する。したがって、フロントパネル１０１から挿入方向Ａとは逆向きの力がシート体４に加わり、フロントパネル１０１から受ける力によってシート体４がテープカートリッジ２の下面から離反して落下するため、テープカートリッジ２のみがドライブ装置１００の挿入口１０２に挿入される。
【００２１】
このように、この情報記録媒体１によれば、貼付面１７ａに突起部２１を形成すると共に、突起部２１がテープカートリッジ２の下面に対向する状態でシート体４を収納ケース３に収納することにより、突起部２１によってシート体４とテープカートリッジ２とを線的に接触させて接触面積を少なくすることができる。このため、テープカートリッジ２を収納ケース３から取り出す際にシート体４をその自重によってテープカートリッジ２から離反させることができる結果、シート体４を収納ケース３内に残しておくことができる。したがって、ドライブ装置１００へのシート体４の挿入を確実に防止することができる。
【００２２】
また、この情報記録媒体１では、貼付面１７ａに突起部２１を筋状に形成すると共に、シート本体１７の裏面１７ｂにおける突起部２１の裏側に突起部２１に沿って筋状の凹部２２を形成したことにより、シート体４がテープカートリッジ２に付着した状態で収納ケース３から取り出されたときにも、ドライブ装置１００へのシート体４の挿入を確実に防止することができる。
【００２３】
なお、本発明は、上記の構成に限定されない。例えば、図５に示すシート体４−Ａのように、シート本体１７−Ａの四隅の角部付近に点状の突起部２３を形成する構成を採用することもできる。このシート体４−Ａにおいても、突起部２３によってテープカートリッジ２とシート体４−Ａとを点的に接触させることにより、テープカートリッジ２の下面とシート体４−Ａの貼付面１７ａとの面的な接触が回避される。したがって、テープカートリッジ２を収納ケース３から取り出す際にシート体４−Ａをその自重によって収納ケース３に残しておくことができる結果、ドライブ装置１００へのシート体４−Ａの挿入を確実に防止することができる。
【００２４】
また、シート体４の貼付面１７ａおよび裏面１７ｂの両方に筋状の突起部２１および点状の突起部２３の少なくとも一方をそれぞれ形成することもできる。さらに、図６に示すシート体４−Ｂのように、筋状の突起部２１、および点状の突起部２３の両方をシート本体１７−Ｂに形成することもできる。また、突起部２１を筋押し加工によって一体的に形成する例について説明したが、シート本体１７，１７−Ａ，１７−Ｂとは別体の部材をシート本体１７，１７−Ａ，１７−Ｂの貼付面１７ａ（および裏面１７ｂ）に貼り付けることで突起部を設ける構成を採用することもできる。さらに、図７に示すシート体４−Ｃのように、本発明における突起部を、例えば、インキで印刷する方法や、発泡性インキを塗布した後に加熱させる方法などを採用して形成することもできる。このシート体４−Ｃでは、例えば、四角柱状の突起部２４ａ、四角錐状の突起部２４ｂ、三角柱状の突起部２４ｃ、および三角錐状の突起部２４ｄがシート本体１７−Ｃの四隅にそれぞれ形成されている。なお、これらの形状は適宜変更することができるし、いずれか１種類に統一して形成してもよい。また、複数種類を組み合わせて形成してもよいのは勿論である。また、図８に示すシート体４−Ｄのように、突起部２４ａ〜２４ｄの形成方法と同じ方法を採用して、筋状の突起部２５を複数（同図では、一例として３つ）シート本体１７−Ｄに形成して本発明における突起部を形成することもできる。この場合、シート体４−Ｄでは、突起部２５と突起部２４ａ〜２４ｄとが形成されているが、これに限らず、突起部２５のみを形成することもできるのは勿論である。
【００２５】
さらに、シート体４，４−Ａ〜４−Ｄのシート本体１７，１７−Ａ〜１７−Ｄにおける所定の１辺から中心部に向かうスリットや、シート本体１７，１７−Ａ〜１７−Ｄの中央部に切り欠いたスリットを形成する構成を採用することもできる。
【図面の簡単な説明】
【００２６】
【図１】情報記録媒体１の構成を示す斜視図である。
【図２】突起部２１付近を拡大したシート体４の側面図である。
【図３】シート体４が付着しているテープカートリッジ２がドライブ装置１００に挿入される直前の状態を示す側面図である。
【図４】テープカートリッジ２をドライブ装置１００に挿入している状態を示す側面図である。
【図５】点状の突起部２３が形成されたシート体４−Ａの斜視図である。
【図６】筋状の突起部２１および点状の突起部２３が形成されたシート体４−Ｂの斜視図である。
【図７】突起部２４ａ〜２４ｄが形成されたシート体４−Ｃの斜視図である。
【図８】筋状の突起部２５および突起部２４ａ〜２４ｄが形成されたシート体４−Ｄの斜視図である。
【符号の説明】
【００２７】
１  情報記録媒体
２  テープカートリッジ
３  収納ケース
４，４−Ａ〜４−Ｄ  シート体
１２  テープリール
１７ａ  貼付面
１７ｂ  裏面
２１，２３，２４ａ〜２４ｄ，２５  突起部
２２  凹部
Ｔ  磁気テープ
【図１】
2006338794.tif 000003
【図２】
2006338794.tif 000004
【図３】
2006338794.tif 000005
【図４】
2006338794.tif 000006
【図５】
2006338794.tif 000007
【図６】
2006338794.tif 000008
【図７】
2006338794.tif 000009
【図８】
2006338794.tif 000010